(57)【要約】航空機の外装シェル（５）に据え付けられる窓枠（１）は、各場合において、１つ以上の外側フランジ（２）と、１つの内側フランジと、これらのフランジに対して直角をなして該フランジの間に配置された１つの垂直フランジ（４）と、を備えており、繊維強化された合成樹脂から製造される。先ず、繊維材料からなる半完成部材を成形型に挿入して、その中に圧力及び温度下で樹脂を注入し、次に、このようにして作成した構成材を成形型の中で硬化させる。半完成部材は、ウェブ材料から作られる層構造、繊維束から作られる層構造、繊維束とウェブ材料との組み合わせから作られる層構造のいずれかをもつ。【選択図】  図１
2008500229.tif 000002
【特許請求の範囲】
【請求項１】
航空機の外装シェルに据え付けられる窓枠であって、半径方向での異なる領域において厚みが異なる１つ以上の外側のフランジと、１つ以上の内側のフランジと、１つ以上の外側のフランジ及び１つ以上の内側のフランジに対して直角をなし、かつ１つ以上の外側のフランジと１つ以上の内側のフランジとの間に配置された、１つ以上の垂直フランジと、を備え、前記１つ以上の外側のフランジは、航空機構造体に対して付設可能であり、前記１つ以上の内側のフランジには、保持される窓要素が付設可能とされて、該窓要素が前記１つ以上の垂直フランジを介して保持されており、窓枠（１）が繊維強化された樹脂からなることを特徴とする窓枠。
【請求項２】
前記窓枠（１）が、ウェブの半完成部材から製造されることを特徴とする請求項１に記載の窓枠。
【請求項３】
前記窓枠（１）が、繊維束からなる半完成部材から製造されることを特徴とする請求項１に記載の窓枠。
【請求項４】
前記窓枠（１）が、繊維束と、ウェブの半完成部材との組み合わせからなる半完成部材から製造されることを特徴とする請求項１に記載の窓枠。
【請求項５】
請求項１乃至４のいずれか１項の窓枠を製造する方法であって、繊維材料からなる半完成部材（１０）を成形型（１１）に挿入し、その中に圧力及び温度下で樹脂を注入し、次に、このようにして形成した構成材（１）を前記成形型（１１）の中で硬化させることを特徴とする方法。
【請求項６】
前記半完成部材（１０）が、ウェブ材料から作成される層構造を有することを特徴とする請求項５に記載の方法。
【請求項７】
前記半完成部材（１０）が、繊維束から作成される層構造を有することを特徴とする請求項５に記載の方法。
【請求項８】
前記半完成部材（１０）が、繊維束とウェブ材料との組み合わせからなる層構造を有することを特徴とする請求項５に記載の方法。
【発明の詳細な説明】
【技術分野】
【０００１】
本出願については、２００４年８月９日に提出された米国特許仮出願第６０／６００，１１２号及び２００４年５月２４日に提出されたドイツ特許出願第１０  ２００４  ０２５  ３７７．３号の出願日の利益を請求し、これらの開示内容を参照することによってここに援用する。
【０００２】
本発明は、航空機の外装シェルに設置される窓枠に関し、この窓枠は、各場合において、１つ以上の外側のフランジと、１つの内側のフランジと、これらのフランジに対して直角をなし、かつこれらのフランジの間に配置された１つの垂直フランジと、を備え、航空機構造体との接続が外側のフランジを介して行われ、内側のフランジには、保持される窓要素が付設されるとともに、この窓要素が垂直フランジを介して保持される。更に、本発明は、このような窓枠の製造方法に関する。
【背景技術】
【０００３】
今日製造されて運航している殆どの航空機では、アルミニウム製の窓枠が使用され、それは、鍛造及びトルーイング（形直し）により作成される部分を備える。その構成部は、全部で３つの部分、つまり、外側のフランジと、内側のフランジと、これら２つのフランジに対して直角をなし、かつこれらのフランジの間に配置された垂直フランジから成る。この窓枠は通常、外側のフランジを介して２列のリベットで、航空機構造体、つまり航空機の外装シェルに接続される。窓要素は、内側のフランジに置かれ、それは通常、２枚の窓ガラスと、これらの間に配置されたシーリングと、を備える。そして、この窓要素は、ダウンホルダを介してその位置に保持され、このダウンホルダは、垂直フランジと接続される。
【０００４】
このような窓枠は、窓要素を固定するだけでなく、歪みの増大を吸収する機能も有し、この歪みの増大は、荷重を伝達する外装シェルに設けられた、窓用の比較的大きい切欠部の端で起こる。そのため、窓枠の外側のフランジは、ある面では、この切欠部を補強する役目をもち、他面では、外側のフランジを介して、枠と外装シェルとがリベットにより互いに接続される。既知のアルミニウム窓枠は通常、鍛造によって製造されるため、リベットの力分布に適した枠形状の断面分布を得ることができず、その理由は、簡易なリベット締めを可能にするために、フランジの傾きが最大で約２度にもなり得るからである。
【０００５】
内側のフランジは、窓要素を受け入れる役割を果たし、ここで、傾かせることにより窓の取り付けが簡単になる。同時に、客室に広がる、内側の圧力からの現存する荷重が、この内側のフランジを介して航空機の外装シェルへと伝達される。
【０００６】
垂直フランジは、できるだけ小さい重量で外装シェルにおける張力を最小限に抑えるために、枠に関する補強リブとして専ら機能する。また、この垂直フランジには通常、アイボルトが付設されるとともに、これを用いて窓要素用のダウンホルダ、即ちリテイナがその位置に保持される。同時に、垂直フランジはまた、窓要素を取り付ける際のガイドとなる。
【発明の開示】
【発明が解決しようとする課題】
【０００７】
本発明の目的は、上述した種類の窓枠、つまり、この用途で今日使用されている窓枠と比較して、かなりの重量節減が可能な窓枠を提供することにある。同時に、このような窓枠の製造費用は、できるだけ低くすべきものとされる。また、本発明により、このような窓枠を作成するための、最も簡易で、最も費用効率の良い方法が提供される。
【課題を解決するための手段】
【０００８】
本発明は、このような窓枠が繊維強化された樹脂を含むようにすることにおいて、第一の目的を達成する。更なる目的についての解決は、繊維材料で形成された半完成部材を成形型に入れ、その中に、圧力及び温度下で樹脂を注入し、次に、このようにして生成した構成材を成形型の中で硬化させるという方法によって、達成される。
【発明の効果】
【０００９】
本発明は、繊維組成の構造で作成される窓枠の使用を可能にし、これにより、現在まで使用されているアルミニウムの窓枠と比較して、最大５０パーセントの重量節減が達成される。この大幅な重量節減の可能性を秘めているにもかかわらず、このような構成材の費用は、アルミニウムを鍛造した部材から作られた窓枠と比較して、高くならない。
【００１０】
同時に、平均壁厚が５ｍｍであって、公差が僅かに約０．２ｍｍとされる、本発明に係る繊維窓枠を製造することができ、これは、約４パーセントの製造公差に相当する。これに対して、アルミニウムを鍛造した枠では、製造方法にも依るが、約１．５ｍｍの公差が許容され、これは、上記と同じ壁厚において約３０パーセントの製造公差に相当する。したがって、本発明によれば、個々の窓枠間の重量のばらつきが実質的に低減されるだけでなく、同時に、航空機への枠の据え付けや枠への窓要素の取り付けがかなり簡単になる。そして、更なる利点は、本発明に係る窓枠についての安全性の向上と断熱性の大幅な向上である。
【００１１】
以下に、本発明を、添付図面に示した実施形態を参照して、さらに詳しく説明する。
【発明を実施するための最良の形態】
【００１２】
図１に示す窓枠１は、繊維構造で作成されており、既知のアルミニウムを鍛造した枠と同様に、外側のフランジ２と、内側のフランジ３と、これら２つのフランジの間に配置された垂直フランジ４と、を有する。但し、従来のアルミニウム窓枠とは対照的に、この場合の外側のフランジ２は、均一な周方向のエッジを有する。また、この外側のフランジ２は、対応するアルミニウムを鍛造した部材と対照的に、半径方向での異なる領域において様々な厚さを有する。これにより、リベット締めやシェルの切欠部の領域において、実質的に向上した材料の利用がもたらされる。図２は、詳細な断面図において、それをより明確に示しており、航空機の外装シェル５におけるこのような窓枠１の据え付け位置を示している。また本図で示されているのは、枠を外装シェル５に接続するためのリベット位置６、そして、２枚の窓ガラス７及び８であり、これらの窓ガラスは、シーリング９とともに窓要素を形成する。
【００１３】
窓枠１は、いわゆる「レジントランスファ成形」、即ちＲＴＭ技術によって製造される。これに関して、最初に、プリフォーム（予備成形物）と称するモールド部材１０を繊維から作成する。次に、図３及び図４に示すように、これを２部品の成形型１１に位置させる。下部成形型１２と上部成形型１３の内側に、この場合、２つの部分に形成されたインナーコア１４及びアウターコア１５が配置される。２つのコア１４と１５との間にプリフォーム１０を挿入して、成形型１１を閉じ、圧力及び温度下で成形型に樹脂を注入する。次に、完成した構成材１を、成形型１１内で硬化させる。
【００１４】
したがって、プリフォーム１０は、完成した部材として、あるいは、いわゆるサブプリフォーム技術で製造することができ、この技術では、完成した窓枠１が、個々のサブストラクチャ要素、つまりサブプリフォームを組み合わせて構成される。しかしながら、各場合において、プリフォーム１０は個々の層からなり、原理的には、以下の３つの異なる種類、
ウェブ（織物）の半完成部材から、
繊維束から、
ウェブの半完成部材と繊維束との組み合わせから、作成することができる。
【００１５】
個々の繊維層の方向は、ここで説明する窓枠１で達成可能な重量節減にとって重要であり、これは、荷重に適合した層構造を可能にする。枠において周方向に沿っていない繊維方向については、ここで述べる構成で実現される重量節減を達成できない。主要な０°、４５°及び９０°の層方向を、図５及び図６に示す。つまり、０°の方向は、窓枠１の周方向を示し、９０°の方向は、半径方向に走り、４５°の方向は、垂直フランジ４から外側のフランジ２への移行領域を走る。
【００１６】
図７は、ウェブの半完成部材からなる窓枠１の層構造についての断面を示す。この図において、符号２０は、内側のフランジにおける０°の巻いたコアを示し、符号２１は、全ての外側領域における±６０°の層及び外側のフランジ２から内側のフランジ３へと延びる±６０°の層を示し、符号２２は、垂直フランジ４の領域における０°の層及び９０°の層を示す。これらの層方向は、外側のフランジ２と、内側のフランジ３と、垂直フランジ４の境界で測定される。この領域以外では、曲線に配置されたウェブの半完成部材に対して、以下の事実が与えられる。
垂直フランジ４：
全ての繊維は、それらが測定された方向のままである。
内側のフランジ３及び外側のフランジ２：
０°の繊維は、それらが測定された方向のままである。
±４５°の繊維は、それらが測定された方向のままであるが、曲がっている。
±６０°の繊維は、それらが測定された方向のままであるが、曲がっている。
【００１７】
図８は、繊維束を有する、荷重に適合した層構造を示し、ここではまた、繊維束の層構造についての断面図を示す。この図において、符号２０は、内側のフランジにおける０°の巻いたコアを示し、符号２３は、全ての外側領域における±６０°の層及び外側のフランジ２から内側のフランジ３へと延びる±６０°の層を有する繊維束を示しており、符号２４は、垂直フランジ４の領域における０°の層及び９０°の層を有する繊維束を示し、符号２５は、外側のフランジ２の領域における±４５°の層を有する繊維束を示す。これらの層方向については、外側のフランジ２と、内側のフランジ３と、垂直フランジ４の境界で測定される。繊維が荷重方向に沿うように繊維の進行方向を達成するために、窓枠１には、ある構造が選定され、これを要約すると以下のようになる。
外側のフランジ２：
リベット締めの領域において、擬似等方性の放射状構造
垂直フランジ４：
主荷重を受けるための０°のコア
外側における±６０°の層
内側のフランジ３：
主に０°方向
外側における±６０°の層
補強のための９０°
【００１８】
このようにして、それぞれ配置された繊維に対して、以下の詳細が与えられる。
垂直フランジ４：
全ての繊維は、それらが測定された方向のままである。
内側のフランジ３及び外側のフランジ２：
０°の繊維は、それらが測定された方向のままである。
±４５°の繊維は、その角度を±６０°に変更する。
±６０°の繊維は、その角度を±７０°に変更する。
【００１９】
最後に、図９は、ウェビングと繊維束との組み合わせを有する層構造を示す。ここでまた、符号２０は、内側のフランジにおける０°の巻いたコアのウェブ層を示し、符号２７は、０°のコイル状プッシュ（ｃｏｉｌｅｄ  ｐｕｓｈ）を示し、符号２８は、±６０°のウェブ層を示し、符号２９は、０°及び９０°のウェブ層を示す。
【００２０】
このようにして作成された窓枠１は、一般的なアルミニウム窓枠と比較して、略同じ製造費用で、約５０パーセント軽量化される。その公差は、これに対応するアルミニウム構成材の公差よりも本質的に小さい。同時に、この枠は、一般的なアルミニウム窓枠よりも高い安全性と、さらに良好な断熱性を提供する。
【図面の簡単な説明】
【００２１】
【図１】窓枠を示す斜視図である。
【図２】図１による窓枠の据え付け位置での詳細を示す断面図である。
【図３】図１の窓枠を製造するための成形型の一部を、開いた状態で示す図である。
【図４】図３の成形型を閉じた状態で示す図である。
【図５】図６とともに、図１の窓枠における主要な方向を示す図である。
【図６】図５にＶＩで示す領域を詳細に示す図である。
【図７】第一のプリフォームの構造を示す断面図である。
【図８】第二のプリフォームの構造を示す断面図である。
【図９】第三のプリフォームの構造を示す断面図である。
【図１】
2008500229.tif 000003
【図２】
2008500229.tif 000004
【図３】
2008500229.tif 000005
【図４】
2008500229.tif 000006
【図５】
2008500229.tif 000007
【図６】
2008500229.tif 000008
【図７】
2008500229.tif 000009
【図８】
2008500229.tif 000010
【図９】
2008500229.tif 000011
【国際調査報告】
2008500229.tif 000012
2008500229.tif 000013